(57)【要約】      （修正有）【課題】不純物を含む金属の溶湯から高精度に不純物を除去しつつ、連続して製品を製造可能とするための、連続式不純物除去装置及び方法の提供。【解決手段】外導電性金属の溶湯Ｍを金属製品製造装置へ向けて流動させる溶湯流動路を有する、溶湯流動路体に、不純物除去空間１４を形成し、不純物除去空間１４内に、溶湯と電気的に接触可能な電極装置１３ａ，ｂと溶湯Ｍ中に磁場を形成可能な一対の永久磁石による磁場装置を設け、電極と溶湯流動路形成体の底面９との間に上下に開口した第１の隙間及び長さ方向に開口した第２の隙間を形成するように、不純物除去空間１４に浮遊状態に設け、電極装置１３ａ，ｂと前記磁場装置とによる付力装置によって、不純物除去空間１４における溶湯Ｍに下向きにローレンツ力を印加して溶湯Ｍの密度を増大させて、溶湯Ｍ中の不純物を溶湯Ｍの表面に浮上させ、溶湯Ｍを前記第１の隙間を通って前記第２の隙間へ圧送する方法。【選択図】図２
2019089112.tif 000002
【特許請求の範囲】
【請求項１】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路形成体外部に設けられ、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置と、
を備え、
前記電極装置と前記磁場装置とが、前記不純物除去空間における溶湯に下向きにローレンツ力を印加して溶湯の密度を増大させて溶湯中の不純物を溶湯の表面に浮上させることが可能な、付力装置を構成している、
ことを特徴とする金属の溶湯からの連続式不純物除去装置。
【請求項２】
前記電極装置における前記一対の電極には、前記ローレンツ力を調節すべく電流量を調節可能な電源が接続されている、ことを特徴とする請求項１に記載の金属の溶湯からの連続式不純物除去装置。
【請求項３】
前記出口側閉塞端板は、前記不純物除去空間の長さを調節すべく、前記溶湯流動路体内における取り付け位置を、前記長さ方向に調節可能に構成されている、ことを特徴とする請求項１又は２に記載の金属の溶湯からの連続式不純物除去装置。
【請求項４】
前記出口側電極は、前記溶湯流動路形成体の底面との間に上下に開口した第１の隙間を形成し、前記出口側閉塞端板との間に前記長さ方向に開口した第２の隙間を形成するように、前記不純物除去空間に浮遊状態に設けられている、ことを特徴とする請求項１乃至３に記載の金属の溶湯からの連続式不純物除去装置。
【請求項５】
前記出口側閉塞端板は、オーバーフローする溶湯の量を調節可能なるように、その高さを調節可能に構成されている、ことを特徴とする請求項１乃至４に記載の金属の溶湯からの連続式不純物除去装置。
【請求項６】
前記溶湯流動路体の前段には、前記溶湯流動路体に金属の溶湯を供給する、供給量を調節可能な、溶湯供給装置が設けられている、ことを特徴とする請求項１乃至５に記載の金属の溶湯からの連続式不純物除去装置。
【請求項７】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路形成体外部に、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置を設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させる、
ことを特徴とする金属の溶湯からの連続式不純物除去方法。
【請求項８】
電源から、前記電極装置における前記一対の電極に加える電流量を調節して、前記ローレンツ力を調節する、ことを特徴とする請求項７に記載の金属の溶湯からの連続式不純物除去方法。
【請求項９】
前記出口側閉塞端板の、前記溶湯流動路体内における取り付け位置を、前記長さ方向に調節することにより、前記不純物除去空間の長さを調節する、ことを特徴とする請求項７又８に記載の金属の溶湯からの連続式不純物除去方法。
【請求項１０】
前記出口側電極を、前記不純物除去空間に浮遊状態に設けて、前記溶湯流動路形成体の底面との間に上下に開口した第１の隙間を形成し、前記出口側閉塞端板との間に前記長さ方向に開口した第２の隙間を形成するようにした、ことを特徴とする請求項７乃至９のいずれか１つに記載の金属の溶湯からの連続式不純物除去方法。
【請求項１１】
前記出口側閉塞端板を、その高さを調節可能に構成し、オーバーフローする溶湯の量を調節可能とした、ことを特徴とする請求項７乃至１０のいずれか１つに記載の金属の溶湯からの連続式不純物除去方法。
【請求項１２】
前記溶湯流動路体の前段に設けた溶湯供給装置により、前記溶湯流動路体に金属の溶湯を供給する供給量を調節する、ことを特徴とする請求項７乃至１１のいずれか１つに記載の連続式不純物除去方法。
【請求項１３】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路形成体外部に設けられ、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置と、
を備え、
前記出口側電極は、前記溶湯流動路形成体の底面との間に上下に開口した第１の隙間を形成し、前記出口側閉塞端板との間に前記長さ方向に開口した第２の隙間を形成するように、前記不純物除去空間に浮遊状態に設けられており、
前記電極装置と前記磁場装置とが、前記電極装置と前記磁場装置とが、前記不純物除去空間における溶湯に下向きにローレンツ力を印加して溶湯の密度を増大させて溶湯中の不純物を溶湯の表面に浮上させることが可能で、且つ、前記不純物除去空間において前記出口側電極よりも内側の溶湯を前記第１の隙間を通って前記第２の隙間へ圧送可能な、付力装置を構成している、
ことを特徴とする金属の溶湯からの連続式不純物除去装置。
【請求項１４】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路形成体外部に、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置を設け、
前記出口側電極を、前記溶湯流動路形成体の底面との間に上下に開口した第１の隙間を形成し、前記出口側閉塞端板との間に前記長さ方向に開口した第２の隙間を形成するように、前記不純物除去空間に浮遊状態に設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、且つ、前記出口側電極よりも内側の溶湯を、前記第１の隙間を通って前記第２の隙間へ圧送する、
ことを特徴とする金属の溶湯からの連続式不純物除去方法。
【発明の詳細な説明】
【技術分野】
【０００１】
本発明は金属の溶湯からの連続式不純物除去装置及び連続式不純物除去方法に関する。
【背景技術】
【０００２】
従来、導電性（伝導性）を有する金属の溶湯、即ち、非鉄金属（例えば、Ａｌ，Ｃｕ，Ｚｎ又はＳｉ、あるいはこれらのうちの少なくとも２つの合金、あるいはＭｇ合金等）の溶湯又は前記非鉄金属以外のその他の金属の溶湯からの製品化するには、例えば、原材料を溶解し、成分調整を行った後、溶湯中に混入している不純物を除去し、成形する、という工程が採られる。不純物除去は一般に溶湯の浄化と言われ、例えばセラミックフィルターが用いられる。
【０００３】
しかしながら、フィルターを用いた不純物除去方法は、当然ながら濾過法であるため、目詰まりが起こりやすい。このため、作業性が悪化し、ランニングコストが増大する等の難点がある。
【０００４】
つまり、フィルター式の場合、網の目の大きさをどの程度に設定するかが実際上重要なポイントとなってくる。大きな不純物だけでなく、微細な不純物を除去しようとすると、目を細かくしなければならない。しかしながら、目を細かくすれば、目詰まりが発生しやす。例えば瞬時に目詰まりを起こしてしまい、生産がストップすることもある。
【０００５】
そこで、従来、フィルターでの除去に先立ち、溶湯中に事前にフラックスを投入することも行われていた。この投入により、不純物は粒径の大きな物に変えられる。これにより、目をある程度大きく保ったままでも不純物を除去可能となり、フィルターでの除去効率（トラップ効率）を上げることができる。しかしながら、溶湯中にフラックスを投入すること自体が、製品の品質の観点から、好ましいと言えない場合も少なくない。
【発明の概要】
【発明が解決しようとする課題】
【０００６】
上述のように、従来の手法では、金属の溶湯から不純物を、細かい不純物も含めて、除去しつつ、製品の生産を停止させることなく連続して生産することは実際上できなかった。
【０００７】
本発明は、上記に鑑みてなされたもので、その目的は、不純物を含む非鉄金属やその他の金属の溶湯から高精度に不純物を除去しつつ、連続して製品を製造可能とするための、連続式不純物除去装置及び方法を提供しようとするものである。
【課題を解決するための手段】
【０００８】
本発明の実施形態は、
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路形成体外部に設けられ、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置と、
を備え、
前記電極装置と前記磁場装置とが、前記不純物除去空間における溶湯に下向きにローレンツ力を印加して溶湯の密度を増大させて溶湯中の不純物を溶湯の表面に浮上させることが可能な、付力装置を構成している、
ものとして構成される。
【０００９】
さらに、本発明の実施形態は、  
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路形成体外部に、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置を設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させる、
ものとして構成される。
【００１０】
さらに、本発明の実施形態は、  
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路形成体外部に設けられ、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置と、
を備え、
前記出口側電極は、前記溶湯流動路形成体の底面との間に上下に開口した第１の隙間を形成し、前記出口側閉塞端板との間に前記長さ方向に開口した第２の隙間を形成するように、前記不純物除去空間に浮遊状態に設けられており、
前記電極装置と前記磁場装置とが、前記電極装置と前記磁場装置とが、前記不純物除去空間における溶湯に下向きにローレンツ力を印加して溶湯の密度を増大させて溶湯中の不純物を溶湯の表面に浮上させることが可能で、且つ、前記不純物除去空間において前記出口側電極よりも内側の溶湯を前記第１の隙間を通って前記第２の隙間へ圧送可能な、付力装置を構成している、
ものとして構成される。
【００１１】
さらに、本発明の実施形態は、  
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路形成体外部に、前記長さ方向と交叉する幅方向に対向し、前記溶湯流動路形成体の前記不純物除去空間を前記幅方向に挟む、互いに異極を対向させ、前記不純物除去空間内の溶湯中に磁場を形成可能な、一対の永久磁石による磁場装置を設け、
前記出口側電極を、前記溶湯流動路形成体の底面との間に上下に開口した第１の隙間を形成し、前記出口側閉塞端板との間に前記長さ方向に開口した第２の隙間を形成するように、前記不純物除去空間に浮遊状態に設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、且つ、前記出口側電極よりも内側の溶湯を、前記第１の隙間を通って前記第２の隙間へ圧送する、
ものとして構成される。
【図面の簡単な説明】
【００１２】
【図１】本発明の実施形態の金属の溶湯からの連続式不純物除去装置の全体構成平面説明図。
【図２】図１のII−II線に沿った断面説明図。
【図３】図２のIII−III線に沿った断面説明図。
【図４】図２のIV-IV線に沿った断面説明図。
【図５】図２の一部に対応する使用状態説明図。
【図６】ローレンツ力の発生を説明する説明図。
【図７】（ａ）、（ｂ）は溶湯中の圧力状態を説明する説明図。
【図８】図５に対応する変形例を示す部分説明図。
【図９】（ａ）、（ｂ）は出口側閉塞端板の具体例を示す縦断説明図。
【発明を実施するための形態】
【００１３】
以下に、本発明の実施形態について図面を参照しながら説明する。
【００１４】
図１は、本発明の金属の溶湯からの連続式不純物除去装置１００の実施形態の全体構成を示す平面説明図である。金属は、導電性を有する非鉄金属又はその他の金属である。前記非鉄金属又はその他の金属は、Ａｌ，Ｃｕ，Ｚｎ又はこれらのうちの少なくとも２つの合金、あるいはＭｇ合金等の伝導体（導電体）の非鉄金属、あるいは、前記非鉄金属以外のその他の金属である。
【００１５】
図１には、実線の矢印ＡＲ１で溶湯Ｍの流れを、破線の矢印ＡＲ２で不純物ＩＭの移動を、それぞれ示している。つまり、溶湯Ｍが矢印ＡＲ１に沿って流れる途中で不純物ＩＭを横向きに除去することを示している。
【００１６】
より詳しくは、図１に一例として傾動式溶解炉を用いた場合を示す。この図１から分かるように、不純物除去装置１００は、前段の溶解炉２００からの金属の溶湯Ｍを受けて自己の内部を流動させ、流動する間に溶湯Ｍ中の不純物を液面近傍に積極的に浮かび上がらせて、その不純物を任意の手段で除去可能とし、不純物除去後の溶湯Ｍを後段のモールド３００に流入させて、高品質の溶湯Ｍから例えばビレットやスラブ等の製品（インゴット）を製造可能とするように構成されたものである。前記溶解炉２００及び前記モールド３００は、汎用のものを採用可能である。よって、例えば、本発明の不純物除去装置１００は、既設の溶解炉２００及びモールド３００に後から追加的に付設可能である。
【００１７】
前記溶解炉２００は、上述のように、汎用の傾動式溶解炉である。つまり、溶解炉２００は、上方が開口２となった容器状の溶解炉本体１を備える。傾動式溶解炉本体１の前方側（図中左側）の側壁には、溶湯Ｍの注ぎ口３が形成されている。後方の側壁には、汎用のガスバーナー４が取り付けられている。前記開口２から投入された導電性金属の原料は前記ガスバーナー４によって加熱されて溶湯Ｍとなって溶解炉本体１内に収納される。
【００１８】
図２は図１のII−II線に沿った縦断面説明図である。この図２から分かるように、前記溶解炉本体１の外側の底部には起伏回動可能とするためのヒンジ機構６設けられている。これにより、直立状態から傾いた注ぎ状態へと、水平な軸６ａの回りに、起伏回動可能に構成されている。この溶解炉本体１は樋本体１０への溶湯の供給量を調節可能である。溶湯Ｍは、溶解炉本体１を傾けることにより、溶湯Ｍが前記注ぎ口３から次段の不純物除去装置１００に注がれる。この状態は、図５に示される。溶解炉本体１を傾ける角度の調整により、図２に示すヘッドｈが変わり、溶解炉本体１から樋本体１０への、溶湯Ｍの流入速度を変えることができる。なお、樋本体１０内の溶湯Ｍのレベルは出口側閉塞端板１１の高さを変えることにより行われる。また、図８に示すように、後述する一方の電極１３ｂは、入口側閉塞端板８から離して設けることもできる。このときの溶湯Ｍの流れは図８中に示す通りである。
【００１９】
前記溶解炉２００からの溶湯Ｍを受ける不純物除去装置１００は、受けた溶湯Ｍを、図１中右から左に流動させて次段のモールド３００に渡すいわゆる樋としての機能と、流動する過程で溶湯Ｍ中の不純物を液面近傍に浮上させる不純物を選択的に集積させる選択集積機能と、を有するものとして構成されている。
【００２０】
即ち、不純物除去装置１００は、特に図２から分かるように、樋本体（選別槽）（溶湯流動路体）１０と、それを幅方向に挟む磁場装置１２と、を有する。さらに、不純物除去装置１００は、特に図１から分かるように、前記樋本体１０の内部（溶湯流動路）に収納され、互いに対向する一対の電極１３ａ、１３ｂからなる電極装置１３を有する。磁場装置１２と電極装置１３は、追って詳しく説明するように、溶湯Ｍに下向きにローレンツ力ｆを加える付力装置３０を構成する。
【００２１】
前記樋本体１０は、図１から分かるように、溶解炉２００からの溶湯Ｍをモールド３００に導くもので、図３から分かるように、耐火材で、横断面がほぼＵ字型のものとして、構成されている。樋本体１０は、溶湯Ｍの流れをスムーズにするため、図２おいて、左側を右側よりも低くなるように、勾配を持たせて設置することもできる。
【００２２】
前記樋本体１０は、図２から分かるように、溶解炉２００からの溶湯Ｍを受ける流入補助板７Ａと、それに続く、入口側閉塞端板８、主流路底板９，出口側閉塞端板１１を有する。さらにこれらを幅方向に挟む左右の側板１５ａ、１５ｂを有する。前記左右の側板１５ａ、１５ｂと入口側閉塞端板８、出口側閉塞端板１１とにより、不純物除去部としての主流路（不純物除去空間）１４が形成される。
【００２３】
前記出口側閉塞端板１１は、その高さを調節可能に構成することもできる。その高さを調節可能な構成としては任意のものを採用できる。例えば、図９（ａ）、（ｂ）から分かるように、出口側閉塞端板１１を、互いにボルト締めした本体１１ａと補助板１１ｂとにより構成し、補助板１１ｂを本体１１ａに対して上下にずらすようにしてもよい。
【００２４】
前記電極装置１３における入口側の電極１３ａは前記入口側閉塞端板８に密着状態に設けられており、出口側の電極１３ｂは、長さ方向には、前記出口側閉塞端板１１から隙間（第２の隙間）Ｇ２を隔てた状態に設けられ、深さ方向には、隙間（第１の隙間）Ｇ１だけ浮かした状態に、して浮遊状態に設けられている。これにより、溶湯Ｍは、後述するように、隙間Ｇ１、Ｇ２を通って流れ、前記出口側閉塞端板１１を越え、いわゆるオーバーフローして、主流路８から流出補助板７Ｂを介して前記モールド３００に向けて、流れ出ることになる。
【００２５】
前記電極装置１３における一対の電極１３ａ、１３ｂ間には電源１６が接続されている。この電源１６は、直流電流の他、交流電流も流し得るものとして構成されている。さらに、直流電流は、極性を切り替え得るように構成されている。
【００２６】
前記樋本体１０の左右両側には、図１、図４から分かるように、前記磁場装置１２が設けられている。この磁場装置１２は、左右一対の永久磁石１２ａ、１２ｂを備え、これらの一対の永久磁石１２ａ、１２ｂで前記樋本体１０を挟んでいる。一対の永久磁石１２ａ、１２ｂは、互いに異極を向かい合わせており、この実施形態では、一対の永久磁石１２ａ、１２ｂの内側がそれぞれＳ極、Ｎ極に磁化されている。これにより、図４中、上側の永久磁石１２ｂからの磁力線ＭＬが樋本体１０中の溶湯Ｍを貫通して下側の永久磁石１２ａに達する。而して、実際の使用時には、図４から分かるように、一対の電極１３ａ、１３ｂ間に電流Ｉが流れている。よって、前記磁力線ＭＬと電流Ｉとが交叉することになる。これにより、図６に示すように、溶湯Ｍにはこれを下向きに押し下げるローレンツ力ｆが発生する。なお、前記磁場装置１２は、電磁石によって構成することもできる。
【００２７】
次に、本発明の実施形態の動作について説明する。
【００２８】
図１、図２から分かるように、導電性金属を溶解炉２００に投入し、加熱、溶解すると、溶湯Ｍの増加、及び、図５のように傾けることにより、溶湯Ｍは溶解炉２００から主流路１４に流入する。
【００２９】
この主流路１４においては、図４からわかるように、磁力線ＭＬと電流Ｉとが交叉している。この概念が前述の図６に示される。これにより、ローレンツ力ｆが発生し、溶湯Ｍにこれを下向きに押し下げる向きに力として加わる。これにより、溶湯Ｍ内部の圧力は、表面より底部にいくほど大きなものとなる。この場合の圧力分布の状態は図７（ａ）に示される。つまり、溶湯Ｍの密度は、前記ローレンツ力ｆの他重力により、底部ほど大きなものとなる。この密度は、溶湯Ｍ内部に含まれる不純物ＩＭの浮力に大きな影響を及ぼす。つまり、密度が大きいと不純物ＩＭには大きな浮力が作用することになる。
【００３０】
よって、前記ローレンツ力ｆが発生した状態においては、溶湯Ｍ中の不純物ＩＭは溶湯Ｍ中を上昇し、液面に至る。つまり、不純物ＩＭには自重により、溶湯Ｍ中を沈下しようとする。また、不純物ＩＭには溶湯Ｍによって浮力が作用する。而して、溶湯Ｍの密度が上がると、溶湯Ｍ中の不純物ＩＭには大きな浮力が作用することになる。よって、この浮力と前記沈下力との差に応じて不純物ＩＭは上下する。而して、前記ローレンツ力ｆを所期のものに設定することにより、前記浮力が前記沈下力よりも大きくなり、不純物ＩＭは溶湯Ｍ中を上昇し、液面近傍に至る。この動作は、溶湯Ｍが主流路１４を流れる過程において連続的に行われる。
【００３１】
このようにして、溶湯Ｍの表面近傍に不純物ＩＭが浮かび上がる。浮かび上がった不純物ＩＭを、自動的に或いは人為的に、任意の手段で、図３から分かるように、不純物除去板７Ｃを介して不純物受４０に排出する。不純物除去板７Ｃは、図３に示すように、横断面が山形をしている。
【００３２】
また、前記したように、樋本体１０において、溶湯Ｍは、図７（ｂ）に示すように圧力の付加により押し下げられ液面が下がる。これに伴い、溶湯Ｍは、図２から分かるように、隙間Ｇ１を通って隙間Ｇ２に至る。これにより、図２に示すように、ヘッドｈが生じ、この分だけの圧力が樋本体１０内の溶湯Ｍに掛かることになる。ここで、不純物ＩＭは溶湯Ｍ中で上昇して液面近傍に集まるため、前記隙間Ｇ１を通る溶湯Ｍ中には不純物ＩＭが実質的に含まれていない。つまり、隙間Ｇ２には、不純物ＩＭが実質的に含まれていない溶湯Ｍが存することになる。而して、隙間Ｇ２においては溶湯Ｍの液面が上がる。このため、実質的に浄化された溶湯Ｍが、前記出口側閉塞端板１１を乗り越えて、流出補助板７Ｂを介して前記モールド３０に流入する。これにより、不純物ＩＭの少ない高品質の製品が得られる。図２のｈが、２つの液面のヘッドを示す。
【００３３】
上述した、溶湯Ｍ中の不純物ＩＭが、前記ローレンツ力ｆを加えることにより、溶湯Ｍ中で上昇させることができることを、以下に詳しく説明する。
【００３４】
図４における、溶湯Ｍ中の磁場強度をＢとする。ここで、図７（ａ）、（ｂ）から分かるように、ローレンツ力ｆが下向きに発生したとする。この際、樋本体１０の底部に作用する力Ｆは、重力による力ｆｇと、ローレンツ力ｆによる力ｆｍとの和となり、
Ｆ＝ｆｇ＋ｆｍ
となる。
【００３５】
ここで、樋本体１０の水平面積Ａは、Ａ＝ｌ×ａ  （ｌ：樋本体１０の長さ、ａ：樋本体１０の幅）であるから、樋本体１０の底部における圧力Ｐは、
Ｐ＝Ｆ／Ａ
となる。さらに、ここで、一対の電極１３ａ、１３ｂ間の電流密度が一定であるとすれば、ローレンツ力ｆは、溶湯表面で０、底部でＩ×Ｂ×ｌ（Ｎ）となる。よって、圧力は底部が最も高くなる。この状態は図７（ａ）、（ｂ）に示される。
【００３６】
さらに、ローレンツ力ｆと重力による２つの影響を受けた溶湯Ｍの見かけの密度をρｍとし、混入不純物粒子の密度をρｓ、粒子の大きさをＶとする。不純物粒子には、溶湯Ｍから受ける浮力ｆａと、重力による力ｆｇが同時に作用する。この時に、不純物粒子が受ける力をＦｓとすれば、
Ｆｓ＝ｆａ−ｆｇ
＝ρｍ×Ｖ−ρｓ×Ｖ
＝（ρｍ−ρｓ）×Ｖ
となる。従って、不純物粒子は溶湯Ｍ中で下記のような動きを採る。
（ａ）ρｍ−ρｓ＞０  浮上
（ｂ）ρｍ−ρｓ＜０  沈下
（ｃ）ρｍ−ρｓ＝０  浮遊
【００３７】
以上に説明した本発明の実施形態によれば以下の利点が得られる。
【００３８】
（１）産業界で標準技術となっている連続鋳造法に合致した、溶湯Ｍの連続浄化が可能である。
（２）不純物の浮上速度は、不純物の粒径、密度等により変わるが、浮上速度の小さい対象物（小粒径物）の分離の場合は、流速を遅くするとか樋本体を長くする等によって、樋本体（選別槽）における溶湯Ｍの滞留時間を長くすれば良い。
（３）物理的、機械的な浄化ではないため、フィルターの交換の必要性がなく、作業効率が良いだけでなく、コストも安く抑えられる。
（４）溶湯の比重は、磁場強度や電流値を変えることで容易に変えることができ、不純物除去対象の溶湯Ｍの種類に応じた不純物除去作業を行うことができる。
【図１】
2019089112.tif 000003
【図２】
2019089112.tif 000004
【図３】
2019089112.tif 000005
【図４】
2019089112.tif 000006
【図５】
2019089112.tif 000007
【図６】
2019089112.tif 000008
【図７】
2019089112.tif 000009
【図８】
2019089112.tif 000010
【図９】
2019089112.tif 000011
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路体の外部に設けられ、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置と、
を備え、
前記電極装置と前記磁場装置とが、前記不純物除去空間における溶湯に下向きにローレンツ力を印加して溶湯の密度を増大させて溶湯中の不純物を溶湯の表面に浮上させることが可能な、付力装置を構成しており、
前記出口側電極は、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けられている、ことを特徴とする金属の溶湯からの連続式不純物除去装置。
【請求項２】
前記電極装置における前記一対の電極には、前記ローレンツ力を調節すべく電流量を調節可能な電源が接続されている、ことを特徴とする請求項１に記載の金属の溶湯からの連続式不純物除去装置。
【請求項３】
前記出口側閉塞端板は、前記不純物除去空間の長さを調節すべく、前記溶湯流動路体内における取り付け位置を、前記長さ方向に調節可能に構成されている、ことを特徴とする請求項１又は２に記載の金属の溶湯からの連続式不純物除去装置。
【請求項４】
前記出口側閉塞端板は、オーバーフローする溶湯の量を調節可能なるように、その高さを調節可能に構成されている、ことを特徴とする請求項１乃至３のいずれか１つに記載の金属の溶湯からの連続式不純物除去装置。
【請求項５】
前記溶湯流動路体の前段には、前記溶湯流動路体に金属の溶湯を供給する、供給量を調節可能な、溶湯供給装置が設けられている、ことを特徴とする請求項１乃至４のいずれか１つに記載の金属の溶湯からの連続式不純物除去装置。
【請求項６】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路体の外部に設けられ、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置と、
を備え、
前記電極装置と前記磁場装置とが、前記不純物除去空間における溶湯に下向きにローレンツ力を印加して溶湯の密度を増大させて溶湯中の不純物を溶湯の表面に浮上させることが可能な、付力装置を構成しており、
前記出口側閉塞端板は、オーバーフローする溶湯の量を調節可能なるように、その高さを調節可能に構成されている、ことを特徴とする金属の溶湯からの連続式不純物除去装置。
【請求項７】
前記電極装置における前記一対の電極には、前記ローレンツ力を調節すべく電流量を調節可能な電源が接続されている、ことを特徴とする請求項６に記載の金属の溶湯からの連続式不純物除去装置。
【請求項８】
前記出口側閉塞端板は、前記不純物除去空間の長さを調節すべく、前記溶湯流動路体内における取り付け位置を、前記長さ方向に調節可能に構成されている、ことを特徴とする請求項６又は７に記載の金属の溶湯からの連続式不純物除去装置。
【請求項９】
前記出口側電極は、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けられている、請求項６乃至８のいずれか１つに記載の金属の溶湯からの連続式不純物除去装置。
【請求項１０】
前記溶湯流動路体の前段には、前記溶湯流動路体に金属の溶湯を供給する、供給量を調節可能な、溶湯供給装置が設けられている、ことを特徴とする請求項６乃至９のいずれか１つに記載の金属の溶湯からの連続式不純物除去装置。
【請求項１１】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路体の外部に、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置を設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、
前記出口側電極を、前記不純物除去空間に浮遊状態に設けて、前記溶湯流動路体の底面との間に上下に開口した第１の隙間を形成し、前記出口側閉塞端板との間に前記長さ方向に開口した第２の隙間を形成するようにした、
ことを特徴とする金属の溶湯からの連続式不純物除去方法。
【請求項１２】
電源から、前記電極装置における前記一対の電極に加える電流量を調節して、前記ローレンツ力を調節する、ことを特徴とする請求項１１に記載の金属の溶湯からの連続式不純物除去方法。
【請求項１３】
前記出口側閉塞端板の、前記溶湯流動路体内における取り付け位置を、前記長さ方向に調節することにより、前記不純物除去空間の長さを調節する、ことを特徴とする請求項１１又１２に記載の金属の溶湯からの連続式不純物除去方法。
【請求項１４】
前記出口側閉塞端板を、その高さを調節可能に構成し、オーバーフローする溶湯の量を調節可能とした、ことを特徴とする請求項１１乃至１３のいずれか１つに記載の金属の溶湯からの連続式不純物除去方法。
【請求項１５】
前記溶湯流動路体の前段に設けた溶湯供給装置により、前記溶湯流動路体に金属の溶湯を供給する供給量を調節する、ことを特徴とする請求項１１乃至１４のいずれか１つに記載の連続式不純物除去方法。
【請求項１６】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路体の外部に、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置を設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、
前記出口側閉塞端板を、その高さを調節可能に構成し、オーバーフローする溶湯の量を調節可能とした、ことを特徴とする金属の溶湯からの連続式不純物除去方法。
【請求項１７】
電源から、前記電極装置における前記一対の電極に加える電流量を調節して、前記ローレンツ力を調節する、ことを特徴とする請求項１６に記載の金属の溶湯からの連続式不純物除去方法。
【請求項１８】
前記出口側閉塞端板の、前記溶湯流動路体内における取り付け位置を、前記長さ方向に調節することにより、前記不純物除去空間の長さを調節する、ことを特徴とする請求項１６又１７に記載の金属の溶湯からの連続式不純物除去方法。
【請求項１９】
前記出口側電極を、前記不純物除去空間に浮遊状態に設けて、前記溶湯流動路体の底面との間に上下に開口した第１の隙間を形成し、前記出口側閉塞端板との間に前記長さ方向に開口した第２の隙間を形成するようにした、ことを特徴とする請求項１６乃至１８のいずれか１つに記載の金属の溶湯からの連続式不純物除去方法。
【請求項２０】
前記溶湯流動路体の前段に設けた溶湯供給装置により、前記溶湯流動路体に金属の溶湯を供給する供給量を調節する、ことを特徴とする請求項１６乃至１９のいずれか１つに記載の連続式不純物除去方法。
【請求項２１】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路体の外部に設けられ、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置と、
を備え、
前記出口側電極は、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けられており、
前記電極装置と前記磁場装置とが、前記電極装置と前記磁場装置とが、前記不純物除去空間における溶湯に下向きにローレンツ力を印加して溶湯の密度を増大させて溶湯中の不純物を溶湯の表面に浮上させることが可能で、且つ、前記不純物除去空間において前記出口側電極よりも内側の溶湯を前記第１の隙間を通って前記第２の隙間へ圧送可能な、付力装置を構成している、
ことを特徴とする金属の溶湯からの連続式不純物除去装置。
【請求項２２】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路体の外部に、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置を設け、
前記出口側電極を、前記溶湯流動路体の底面との間に上下に開口した第１の隙間を形成し、前記出口側閉塞端板との間に前記長さ方向に開口した第２の隙間を形成するように、前記不純物除去空間に浮遊状態に設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、且つ、前記出口側電極よりも内側の溶湯を、前記第１の隙間を通って前記第２の隙間へ圧送する、
ことを特徴とする金属の溶湯からの連続式不純物除去方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路体の外部に設けられ、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置と、
を備え、
前記電極装置と前記磁場装置とが、前記不純物除去空間における溶湯に下向きにローレンツ力を印加して溶湯の密度を増大させて溶湯中の不純物を溶湯の表面に浮上させることが可能な、付力装置を構成しており、
前記出口側電極は、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けられており、前記第１の隙間及び前記第２の隙間を通過した溶湯を前記出口側閉塞端板からオーバーフローさせるようにした、
ことを特徴とする金属の溶湯からの連続式不純物除去装置。
【請求項２】
前記電極装置における前記一対の電極には、前記ローレンツ力を調節すべく電流量を調節可能な電源が接続されている、ことを特徴とする請求項１に記載の金属の溶湯からの連続式不純物除去装置。
【請求項３】
前記出口側閉塞端板は、前記不純物除去空間の長さを調節すべく、前記溶湯流動路体内における取り付け位置を、前記長さ方向に調節可能に構成されている、ことを特徴とする請求項１又は２に記載の金属の溶湯からの連続式不純物除去装置。
【請求項４】
前記出口側閉塞端板は、その高さを調節可能に構成されている、ことを特徴とする請求項１乃至３のいずれか１つに記載の金属の溶湯からの連続式不純物除去装置。
【請求項５】
前記溶湯流動路体の前段には、前記溶湯流動路体に金属の溶湯を供給する、供給量を調節可能な、溶湯供給装置が設けられている、ことを特徴とする請求項１乃至４のいずれか１つに記載の金属の溶湯からの連続式不純物除去装置。
【請求項６】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路体の外部に、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置を設け、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、
前記出口側電極を、前記不純物除去空間に浮遊状態に設けて、前記溶湯流動路体の底面との間に上下に開口した第１の隙間を形成し、前記出口側閉塞端板との間に前記長さ方向に開口した第２の隙間を形成し、前記第１の隙間及び前記第２の隙間を通過した溶湯を前記出口側閉塞端板からオーバーフローさせるようにした、
ことを特徴とする金属の溶湯からの連続式不純物除去方法。
【請求項７】
電源から、前記電極装置における前記一対の電極に加える電流量を調節して、前記ローレンツ力を調節する、ことを特徴とする請求項６に記載の金属の溶湯からの連続式不純物除去方法。
【請求項８】
前記出口側閉塞端板の、前記溶湯流動路体内における取り付け位置を、前記長さ方向に調節することにより、前記不純物除去空間の長さを調節する、ことを特徴とする請求項６又７に記載の金属の溶湯からの連続式不純物除去方法。
【請求項９】
前記出口側閉塞端板を、その高さを調節可能に構成した、ことを特徴とする請求項６乃至８のいずれか１つに記載の金属の溶湯からの連続式不純物除去方法。
【請求項１０】
前記溶湯流動路体の前段に設けた溶湯供給装置により、前記溶湯流動路体に金属の溶湯を供給する供給量を調節する、ことを特徴とする請求項６乃至９のいずれか１つに記載の連続式不純物除去方法。
【請求項１１】
導電性金属の溶湯を次段の金属製品製造装置へ送出する、金属の溶湯からの連続式不純物除去装置であって、
外部から流入させられた導電性金属の溶湯を金属製品製造装置へ向けて流動させる溶湯流動路を有する、溶湯流動路体と、
前記溶湯流動路体に設けられた、前記溶湯流動路の前後を仕切って、不純物除去空間を形成する、入口側閉塞端板及び出口側閉塞端板と、
前記不純物除去空間内に設けられ、溶湯の流れる方向である長さ方向に対向する、前記不純物除去空間内の溶湯と電気的に接触可能な、入口側電極及び出口側電極による電極装置と、
前記溶湯流動路体の外部に設けられ、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置と、
を備え、
前記出口側電極は、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けて、前記第１の隙間及び前記第２の隙間を通過した溶湯を前記出口側閉塞端板からオーバーフローさせるようにし、
前記電極装置と前記磁場装置とが、前記不純物除去空間における溶湯に下向きにローレンツ力を印加して溶湯の密度を増大させて溶湯中の不純物を溶湯の表面に浮上させることが可能で、且つ、前記不純物除去空間において前記出口側電極よりも内側の溶湯を前記第１の隙間を通って前記第２の隙間へ圧送可能な、付力装置を構成している、
ことを特徴とする金属の溶湯からの連続式不純物除去装置。
【請求項１２】
導電性金属の溶湯を次段の金属製品製造装置へ送出するに当たり、金属の溶湯から不純物を除去する連続式不純物除去方法であって、
外部から流入させられた導電性金属の溶湯を金属製品製造装置へ向けて流動させる溶湯流動路を有する、溶湯流動路体を準備し、
前記溶湯流動路体に、入口側閉塞端板及び出口側閉塞端板を設けて、前記溶湯流動路の前後を仕切って、不純物除去空間を形成し、
前記不純物除去空間内に、溶湯の流れる方向である長さ方向に対向する、前記不純物除去空間内の溶湯と電気的に接触可能な、入口側電極及び出口側電極による電極装置を設け、
前記溶湯流動路体の外部に、前記長さ方向と交叉する幅方向に対向し、前記溶湯流動路体の前記不純物除去空間を前記幅方向に挟む、互いに異極を対向させ、前記不純物除去空間内の溶湯中に磁場を形成可能な、一対の永久磁石による磁場装置を設け、
前記出口側電極を、前記溶湯流動路体の底面との間に上下に開口した第１の隙間を形成し、前記出口側閉塞端板との間に前記長さ方向に開口した第２の隙間を形成するように、前記不純物除去空間に浮遊状態に設けて、前記第１の隙間及び前記第２の隙間を通過した溶湯を前記出口側閉塞端板からオーバーフローさせるようにし、
前記電極装置と前記磁場装置とによる付力装置によって、前記不純物除去空間における溶湯に下向きにローレンツ力を印加して溶湯の密度を増大させて、溶湯中の不純物を溶湯の表面に浮上させ、且つ、前記出口側電極よりも内側の溶湯を、前記第１の隙間を通って前記第２の隙間へ圧送する、
ことを特徴とする金属の溶湯からの連続式不純物除去方法。